(57)【要約】【課題】  アナログ入力モードでの操作性を損なうことなくデジタル入力モードでの操作が可能な入力装置を提供する。【解決手段】  操作体が操作されていないときに各接点の抵抗素子と低抵抗体とを予め接触した状態に設定するため、不感帯の発生が防止されてアナログ入力モードでの操作性が損なわれることがない。そして、デジタル入力モードに設定されたときに判定値Ｒ１を設定して、出力が前記判定値Ｒ１を超えるまでは出力をオフに設定する。その結果所定の押圧ストロークで操作されるまでオン出力に切り替わらないため操作性が損なわれることがない。【選択図】図１０
2005100077.tif 000002
【特許請求の範囲】
【請求項１】
電極が互いに対向して設けられた接点と、前記電極を互いに接触させるとともにその接触面積を変化させる操作体と、前記操作体の操作量に基づいて前記接触面積を変化させて出力を連続的に変化させるアナログ入力モードを有する制御部が設けられた入力装置において、
前記制御部では、前記アナログ入力モードと、前記接触面積を変化させたときの出力が予め設定された所定の判定値を超えたときにオン出力と判定するデジタル入力モードとが切り換え可能に制御されることを特徴とする入力装置。
【請求項２】
前記接点は、抵抗素子とこの抵抗素子に対向する低抵抗体で構成され、複数の前記抵抗素子が直交するＸ−Ｙ軸方向に間隔をおいて配置され、単一の前記操作体でそれぞれの抵抗素子に対向する前記低抵抗体が操作される請求項１記載の入力装置。
【請求項３】
前記判定値の境界は環状に形成され、前記制御部では、前記出力が前記判定値の境界の外側で検出されたときにオン出力と判定される請求項２記載の入力装置。
【請求項４】
前記判定値のオフ出力の領域は、Ｘ軸方向とＹ軸方向とがその中間方向よりも軸方向に長く設定されている請求項３記載の入力装置。
【請求項５】
前記判定値は、Ｘ軸を含む所定角度範囲と、Ｙ軸を含む所定角度範囲と、前記Ｘ軸及びＹ軸を含まない所定角度範囲とに分割して設定され、前記制御部では、前記出力が前記Ｘ軸及びＹ軸を含まない所定角度範囲内で検出されたときに周方向に隣接する２つの接点が同時にオン出力と判定される請求項２ないし４のいずれかに記載の入力装置。
【請求項６】
前記操作体の操作前において、前記抵抗素子と前記低抵抗体とが接触状態にある請求項３ないし６のいずれかに記載の入力装置。
【発明の詳細な説明】
【技術分野】
【０００１】
本発明は、操作ストロークに応じて出力が変化するアナログ入力可能な入力装置に係り、特に必要に応じてデジタル入力が可能な入力装置に関する。
【背景技術】
【０００２】
ゲーム装置や、パーソナルコンピュータの入力装置として、押圧ストロークまたは押圧力の変動に基づいて出力がアナログ的に変化するものがある。
【０００３】
以下の特許文献１に記載の入力装置は、傾斜自在に支持されたスティック状の操作子と、この操作子の倒れ動作に基づいて操作される接点が上下左右に４個設けられている。操作子がいずれかの方向へ傾斜させられると操作子の傾斜角度に応じて接点の対向電極の接触面積が変化させられて、出力がアナログ的に変化する。
【特許文献１】特開２０００−３４８５７４号公報
【発明の開示】
【発明が解決しようとする課題】
【０００４】
ゲームの種類によっては、上記特許文献１に示すようなアナログ入力に対応したものだけでなく、オンとオフのデジタル入力しか対応していないものがあるため、必要に応じてアナログ入力とデジタル入力とが切り換えられることが好ましい。そこで、上記特許文献１に示すアナログ入力可能な入力装置においてデジタル入力を可能とするには、操作子が操作されていないときに接点の対向電極を互いに接触しないように離してオフとし、操作子が操作されて対向電極が接触したときにオンにする制御が必要になる。
【０００５】
しかし、対向する電極の間隔を大きく離れる設定にすると、アナログ入力モードで操作したときに不感帯が大きく発生して操作子を操作しても出力が得られない状態が発生し、良好な操作感が得られない。
【０００６】
そこで良好な操作感を得るために、対向する電極の間隔を非常に狭く設定すると、不感帯がほぼ解消されて良好な操作性が得られる。しかし、このような設定にすると、操作子に触れただけまたは軽い荷重で操作しただけで容易に出力がオンに切り替わり、デジタル入力での操作が非常にし難いものとなる。
【０００７】
また、上記したように上下左右に接点を有する４方向の入力装置では、上側と右側など２方向の接点を同時にオンにして８方向の入力装置として使用するものがある。このような８方向の入力装置では、アナログ入力において角度特性を得るために積極的に２方向の接点を同時にオンさせると、デジタル入力において斜め方向と認識される角度範囲が広くなり過ぎて、軸方向の出力が得られ難いという問題が生じる。
【０００８】
本発明は上記従来の課題を解決するものであり、アナログ入力モードとデジタル入力モードとを併用することができ、しかもいずれのモードであっても操作性が損なわれることのない入力装置を提供することを目的とする。
【課題を解決するための手段】
【０００９】
本発明は、電極が互いに対向して設けられた接点と、前記電極を互いに接触させるとともにその接触面積を変化させる操作体と、前記操作体の操作量に基づいて前記接触面積を変化させて出力を連続的に変化させるアナログ入力モードを有する制御部が設けられた入力装置において、
前記制御部では、前記アナログ入力モードと、前記接触面積を変化させたときの出力が予め設定された所定の判定値を超えたときにオン出力と判定するデジタル入力モードとが切り換え可能に制御されることを特徴とするものである。
【００１０】
上記本発明では、所定の判定値を超えるまで出力がオンに切り替わらないように設定したため、アナログ入力モードでの操作性を考慮して電極の間隔を予め短く設定したとしても、前記デジタル入力モードでの操作性が損なわれることがない。
【００１１】
例えば、前記接点は、抵抗素子とこの抵抗素子に対向する低抵抗体で構成され、複数の前記抵抗素子が直交するＸ−Ｙ軸方向に間隔をおいて配置され、単一の前記操作体でそれぞれの抵抗素子に対向する前記低抵抗体が操作される。
【００１２】
上記発明では、前記判定値の境界は環状に形成され、前記制御部では、前記出力が前記判定値の境界の外側で検出されたときにオン出力と判定される構成にできる。
【００１３】
この場合、前記判定値のオフ出力の領域は、Ｘ軸方向とＹ軸方向とがその中間方向よりも軸方向に長く設定されていてもよい。
【００１４】
また、前記判定値は、Ｘ軸を含む所定角度範囲と、Ｙ軸を含む所定角度範囲と、前記Ｘ軸及びＹ軸を含まない所定角度範囲とに分割して設定され、前記制御部では、前記出力が前記Ｘ軸及びＹ軸を含まない所定角度範囲内で検出されたときに周方向に隣接する２つの接点が同時にオン出力と判定される構成できる。これにより操作性が良好な８方向のデジタル入力が可能になる。
【００１５】
また、前記操作体の操作前において、前記抵抗素子と前記低抵抗体とが接触状態にある構成にしてもよい。このように設定するとアナログ入力モードで操作したときの不感帯を無くすことができ、操作性が良好になる。
【発明の効果】
【００１６】
本発明は、単一の操作体でアナログ入力モードとデジタル入力モードとの操作が可能であって、いずれの入力モードであっても良好な操作感を得ることができる。
【００１７】
また、操作体が非操作時において電極どうしを接触状態に設定したものであっても、アナログ入力モードとデジタル入力モードの両入力モードにおいて操作性が損なわれることがない。
【発明を実施するための最良の形態】
【００１８】
図１は本発明の入力装置の一例を示す分解斜視図、図２は入力装置を操作面側から見たときの平面図、図３は図２の３−３線での断面図、図４は接点部分を示す拡大断面図、図５は回路ブロック図、図６はデジタル入力モードに設定されたときの制御部での処理を示すフローチャート、図７乃至図１０は、それぞれ図６のフローチャートの説明図である。
【００１９】
図１と図２に示すように、この入力装置１は、合成樹脂や金属で形成された操作体２を有している。この操作体２にはＸ方向とＹ方向の４方向に延びる操作部２ｘ１，２ｘ２，２ｙ１，２ｙ２が形成されている。また前記操作体２の下面の中心部には支持突起２ａが一体に突出形成され、前記操作部２ｘ１，２ｘ２，２ｙ１，２ｙ２の下面にはスリット状の長穴２ｄがそれぞれ軸方向に延びて形成されている。また支持突起２ａの周囲には４個のフランジ２ｂが一体に形成され、各フランジ２ｂの一部が操作体２の側面から突出している。
【００２０】
前記操作体２の下面側には弾性支持部材３が設けられている。この弾性支持部材３には、前記操作部２ｘ１，２ｘ２，２ｙ１，２ｙ２に対向して弾性押圧体３ｂがそれぞれ設けられている。前記弾性押圧体３ｂは、図３に示すようにそれ自体が圧縮変形可能な押圧部３ｂ１と、この押圧部３ｂ１の傾きを防止する弾性変形可能な薄肉のリブ３ｂ２とが一体に形成されたものである。また前記弾性押圧体３ｂは同じ部材で各弾性押圧体３ｂが一体に形成されている。また前記弾性支持部材３の中心部には穴３ａが形成されて、この穴３ａに前記支持突起２ａが挿入されている。また前記弾性支持部材３には、図示しない複数の切欠きが形成されて、各切欠きに前記各フランジ２ｂが挿入されている。
【００２１】
また図３に示すように、各弾性押圧体３ｂの上面には突起部３ｔが上向きに一体に形成されている。各突起部３ｔは、前記長穴２ｄにそれぞれ挿入されて、操作体２が前記弾性支持部材３に対して回り止めされている。
【００２２】
前記弾性支持部材３の下面にはフィルム状の検出基板４が設けられている。この検出基板４は、図４に示すように、下部シート４ａ、上部シート４ｂ及び離間シート４ｍの３層構造であり、いずれのシートも可撓性と絶縁性を有するＰＥＴ（ポリエチレンテレフタレート）などの合成樹脂で形成されている。前記離間シート４ｍには、前記各弾性押圧体３ｂに対応する位置に穴４ｍ１が貫通して形成され、この穴４ｍ１の位置において前記下部シート４ａに抵抗素子６ａが形成され、前記上部シート４ｂに低抵抗体６ｂが形成され、前記抵抗素子６ａと前記低抵抗体６ｂとが接離可能に支持されている。なお、離間シート４ｍに代えて、下部シート４ａ及び上部シート４ｂの双方または一方に絶縁性を有する樹脂膜を形成して、上下シート４ｂ，４ａの間隔が確保されるようにしてもよい。本実施の形態の接点６は、対向電極となる前記抵抗素子６ａと前記低抵抗体６ｂとで形成されている。
【００２３】
前記抵抗素子６ａはカーボン膜などで、そのパターンは矩形状であり、前記低抵抗体６ｂは前記抵抗素子６ａよりも電気抵抗の低い膜であり、例えば銀、金、銅などの金属膜である。そして前記抵抗素子６ａの両側には、銀や銅などで形成された電極膜６ｃ１，６ｃ２が接続されている。なお、前記抵抗素子６ａと低抵抗体６ｂは共に矩形状に形成されているものでもよく、あるいはいずれも円形状に形成されているものでもよく、または抵抗素子６ａが矩形状で低抵抗体６ｂが円形状であってもよい。
【００２４】
前記検出基板４の下面には、金属板などで形成された補強部材５が設けられている。この補強部材５の周縁部には、係止片５ｃ，５ｃが折り曲げ形成されて、この係止片５ｃ，５ｃが、前記検出基板４に形成された穴４ｃ，４ｃに挿通され、さらに前記弾性支持部材３に形成されたスリット状の係止穴３ｃ，３ｃに挿入されている。このとき前記係止片５ｃ，５ｃの先端がそれぞれ外側に折り曲げられた折曲片が形成されて、前記係止片５ｃ，５ｃが前記弾性支持部材３の係止穴３ｃ，３ｃを貫通したときに、前記折曲片で前記弾性支持部材３が抜け出ないように係止される。
【００２５】
前記入力装置１の筐体への取付方法について以下に説明する。前記入力装置１が装着される筐体１０の表面には操作体２の平面形状に合わせて十字形状の開口部１０ａが形成されている。また筐体１０の内面１０ｂには、前記開口部１０ａの近傍に位置決めピン１２，１２が一体に突出形成されており、前記位置決めピン１２，１２は、前記弾性支持部材３に形成された貫通穴３ｄ，３ｄに、そして前記検出基板４に形成された貫通孔４ｄ，４ｄに、さらに前記補強部材５に形成された貫通孔５ｄ，５ｄにそれぞれ挿通されて、前記弾性支持部材３、検出基板４及び補強部材５が前記筐体１０に対して位置決めされている。
【００２６】
このとき前記操作体２は前記筐体１０の開口部１０ａに対して内部から挿入されて、前記開口部１０ａの縁部で前記各フランジ２ｂが係止されて前記操作体２が前記開口部１０ａから外側に抜け出ないように設定されている。
【００２７】
本実施の形態の入力装置１では、前記操作体２の操作部２ｘ１，２ｘ２，２ｙ１，２ｙ２の一部が開口部１０ａから外側へ突出するように支持されて、前記操作部２ｘ１，２ｘ２，２ｙ１，２ｙ２が押圧操作可能である。例えば操作体２の操作部２ｘ１が押圧操作されると、前記操作部２ｘ１により前記弾性押圧体３ｂが押圧され、前記弾性押圧体３ｂの押圧部３ｂ１により検出基板４が弾性変形させられて、低抵抗体６ｂが抵抗素子６ａに接触する。さらに操作部２ｘ１が押し下げられると、弾性押圧体３ｂの押圧部３ｂ１が圧縮変形するとともに検出基板４がさらに撓んで、抵抗素子６ａと低抵抗体６ｂとの接触面積が増大する。なお、その他の操作部２ｘ２，２ｙ１，２ｙ２が押圧操作された場合についても上記と同様に動作させられる。
【００２８】
操作部２ｘ１の押圧ストロークまたは押圧力が強くなるにしたがって、抵抗素子６ａと低抵抗体６ｂとの接触面積が増大するが、この接触面積の増大により、前記電極膜６ｃ１と電極膜６ｃ２との間の電気抵抗値が低下していく。すなわち操作部２ｘ１の押圧ストロークまたは押圧力が強くなるにしたがって、電極膜６ｃ１と電極膜６ｃ２との間の電圧値がアナログ的に変化するものとなる。
【００２９】
前記入力装置１では、操作部２ｘ１，２ｘ２，２ｙ１，２ｙ２の押圧ストロークまたは押圧力に基づいて前記電極膜６ｃ１，６ｃ２間の電圧値が変化させられるが、この電圧値の変化に基づいて出力が連続的に変化するアナログ入力モードと、出力がオンとオフのみに設定されるデジタル入力モードとに切替可能になっている。
【００３０】
図５に示すように、この入力装置１を制御する制御部３０は、ＣＰＵ、記憶部、アナログの入力信号をディジタルに変換して前記ＣＰＵに与えるＡ／Ｄ変換部、入力部（入力ポート）などを有するＩＣである。
【００３１】
操作部２ｘ１の抵抗素子６ａ１と操作部２ｘ２の抵抗素子６ａ２は直列に接続されて抵抗素子列６ｘが形成され、操作部２ｙ１の抵抗素子６ａ３と操作部２ｙ２の抵抗素子６ａ４とが直列に接続されて抵抗素子列６ｙが形成されている。そして、前記抵抗素子列６ｘと抵抗素子列６ｙとが並列に接続されている。なお、図５では、抵抗素子６ａ１と６ａ２が、操作体２の右側の操作部２ｘ１と左側の操作部２ｘ２に対応し、抵抗素子６ａ３と６ａ４が、操作体２の上側の操作部２ｙ１と下側の操作部２ｙ２に対応している。また、前記抵抗素子６ａ１，６ａ２，６ａ３，６ａ４には、単一の操作体２によって操作される低抵抗体６ｂ１，６ｂ２，６ｂ３，６ｂ４が対向して設けられている。
【００３２】
前記抵抗素子列６ｘでは、抵抗素子６ａ１と抵抗素子６ａ２の中点がＸ出力部１５ｘであり、前記抵抗素子列６ｙでは、抵抗素子６ａ３と抵抗素子６ａ４の中点がＹ出力部１５ｙである。前記Ｘ出力部１５ｘから得られる電圧値（Ｖｘ）は、前記制御部３０のＸ入力Ａ／Ｄ変換部３１に与えられ、前記Ｙ出力部１５ｙから得られる電圧値（Ｖｙ）は、Ｙ入力Ａ／Ｄ変換部３２に与えられる。
【００３３】
抵抗素子列６ｘと抵抗素子列６ｙとの一方の並列接続部１６Ａには、電源電圧（Ｖｄｄ）が与えられる。また、抵抗素子列６ｘと抵抗素子列６ｙとの他方の並列接続部１６Ｂは、アース電位に設定されている。
【００３４】
前記制御部３０においてデジタル入力モードに設定されたときにオン出力とオフ出力を操作性良く機能させるために、抵抗素子６ａ１〜６ａ４と低抵抗体６ｂ１〜６ｂ４との間の間隔を長く設定する必要がある。しかし、このように設定するとアナログ入力モードにおいて不感帯が発生して操作体２が所定のストロークで押圧操作されるまで出力が得られない状態が発生して操作性が損なわれる。逆に、不感帯を小さくするために抵抗素子６ａ１〜６ａ４と低抵抗体６ｂ１〜６ｂ４との隙間を極力短く設定すると、デジタル入力モードで操作体２を操作したときに抵抗素子６ａ１〜６ａ４と低抵抗体６ｂ１〜６ｂ４とが容易に接触してしまい操作性が損なわれることになる。
【００３５】
そこで、本実施の形態の入力装置１では、前記制御部３０がデジタル入力モードに設定されているときに、図６に示すフローチャートにしたがって処理が行われるようにした。なお図６では、各ステップを「ＳＴ」で示す。また以下の説明では、上記したように操作部２ｘ１を右側、操作部２ｘ２を左側、操作部２ｙ１を上側、操作部２ｙ２を下側として、Ｘ軸方向とＹ軸方向の４方向と、右側と上側が同時に押されたときの右上方向と、左側と上側が同時に押されたときの左上方向と、右側と下側が同時に押されたときの右下方向と、左側と下側が同時に押されたときの左下方向の計８方向を検出できるものである。
【００３６】
例えば、右側の操作部２ｘ１と上側の操作部２ｙ１が一緒に押圧操作されると、それぞれの操作部２ｘ１，２ｙ１の抵抗素子６ａ１，６ａ３と低抵抗体６ｂ１，６ｂ３とが接触する（ＳＴ１）。そして、操作部２ｘ１と２ｙ１での各電圧値（アナログ電圧）が取り込まれる（ＳＴ２）。このとき図７においてＰ１点で示すように、右側の操作部２ｘ１側の接点から電圧値Ｖｘが得られ、上側の操作部２ｙ１の接点から電圧値Ｖｙが得られる。
【００３７】
なお、図７において、電源電圧（Ｖｄｄ）がＶ（ボルト）に設定されているとすると、操作体２が何も操作されていないときには、図５のＸ出力部１５ｘとＹ出力部１５ｙから得られる電圧値はともにＶ／２となり、これがセンター値として保持される。このセンター値は必要に応じて更新される。よって、抵抗素子列６ｘでは、得られた電圧値（Ｖｘ）がＶ／２（ボルト）よりも高ければ右側の操作部２ｘ１が操作されたと認識され、またＶ／２（ボルト）よりも低ければ左側の操作部２ｘ２が操作されたと認識される。同様にして、抵抗素子列６ｙでは、得られた電圧値（Ｖｙ）がＶ／２（ボルト）よりも高ければ上側の操作部２ｙ１が操作されたと認識され、またＶ／２（ボルト）よりも低ければ下側の操作部２ｙ２が操作されたと認識される。
【００３８】
そして、ＳＴ２では図８に示すように、前記電圧値Ｖｘ，ＶｙがＡＤ変換されて、点Ｐ２で示すようにデジタル値（Ｘ，Ｙ）が得られる。本実施の形態では、Ｘ軸とＹ軸はそれぞれ１２８の分割数に設定されている。ただしこれに限られず例えば２５６の分割数であってもよい。よって、電圧値（Ｖｘ，Ｖｙ）＝（Ｖ／２，Ｖ／２）と検知されれば、デジタル値（Ｘ，Ｙ）＝（０，０）が出力されて、操作体２が操作されていないと認識される。
【００３９】
そして、ＳＴ３に移行して、前記デジタル値（Ｘ，Ｙ）が図９に示す判定値Ｒ１に対してその外側で出力されているか否かが判断される。この判定値Ｒ１は、Ｘ軸とＹ軸の交点を中心とする円形状である。したがって、前記デジタル値（Ｘ，Ｙ）が判定値Ｒ１の内側で検出されるとＯＦＦ出力と判定され、判定値Ｒ１の外側で検出されるとＯＮ出力であると判定される。
【００４０】
そして、ＳＴ４に移行して操作方向の判定が行われる。図１０に示すように、オン出力とオフ出力を判定する判定値Ｒ１の外側の判定領域がさらに複数の領域に分割されている。すなわち、Ｘ−Ｙ軸に対してＬ１乃至Ｌ８の直線で分割されており、直線Ｌ１とＬ５は中心（Ｘ軸とＹ軸の交点）を通り且つ同一直線上に形成され、同様に直線Ｌ２とＬ６、直線Ｌ３とＬ７、直線Ｌ４とＬ８はそれぞれ中心を通り且つ同一直線上に形成されている。
【００４１】
よって直線Ｌ８とＬ１で形成されるＸ軸を含む角度αの領域が右方向に設定され、また直線Ｌ４とＬ５で形成されるＸ軸を含む角度αの領域が左方向に設定される。また直線Ｌ２とＬ３で形成されるＹ軸を含む角度αの領域が上方向に設定され、また直線Ｌ６とＬ７で形成されるＹ軸を含む角度αの領域が下方向に設定される。そして、直線Ｌ１とＬ２で形成されるＸ軸及びＹ軸を含まない角度βの領域が右上方向に設定され、直線Ｌ３とＬ４で形成される角度βの領域が左上方向に設定され、直線Ｌ５とＬ６で形成される角度βの領域が左下方向に設定され、直線Ｌ７とＬ８で形成される角度βの領域が右下方向に設定される。
【００４２】
図１０に示すように、前記デジタル値（Ｘ，Ｙ）は、直線Ｌ１とＬ２で形成される角度βの判定領域において出力されているため、制御部３０では操作部２ｘ１と操作部２ｙ１とによって右上方向が操作されたと判定され、この入力装置１が接続された機器本体にその方向を示す信号とともにオン出力の信号が出力される（ＳＴ５）。
【００４３】
上記したように判定値Ｒ１を設けることによって、操作体２が所定の押圧ストロークまたは押圧力で操作されるまではオン出力と判定されないため、アナログ入力モードで操作性が損なわれないようにするために各接点の抵抗素子６ａと低抵抗体６ｂとの間隔を短く設定したとしても、デジタル入力モードでの操作性が損なわれることがない。
【００４４】
また、上下左右に４個の接点を設けたものでは、図１０に示すように判定値Ｒ１の外側をさらに８つの領域に分割することにより、Ｘ軸方向及びＹ軸方向の４方向に加えて、周方向に隣接する接点が２つ同時に入力された場合もその中間方向として認識させることができる。
【００４５】
なお、上記制御部３０では、方向の判定領域を８つに分割したものについて説明したが、Ｘ軸方向とＹ軸方向の４つに分割されるように制御してもよい。
【００４６】
本実施の形態の入力装置１に設けられた制御部３０では、図１１に示すような略十字形状の判定値Ｒ２を設定して制御してもよい。この判定値Ｒ２の内側が出力ＯＦＦの領域となる。なお、判定値の形状以外の領域設定は図１０に示すものと同じである。各接点はそれぞれＸ軸上またはＹ軸上に配置されているため、右、左、上及び下の各軸方向の出力が得られ易く、右上、左上、左下及び右下の各斜め方向の出力が得られ難くなっている。そこで、軸方向の判定値のＯＦＦ領域を軸方向に広げることにより、前記軸方向のオン出力の感度が低下して、軸方向と斜め方向の双方が均等にオン出力し易くなる。
【００４７】
また、本実施の形態では、図１０や図１１に示す判定値に限られるものではなく、例えば図１２に示す判定値を設定することもできる。図１２では右方向と上方向とで構成される領域のみを示しているが、その他の領域についても同様に設定されている。
【００４８】
図１２に示す判定値では、しきい値の基準値をｘ０、ｙ０に設定する。ｘ＞ｙの場合には、（Ｘ，Ｙ）＝（ｘ０，（ｙ／ｘ）・ｘ０）により直線Ｍ１と曲線Ｑ１が得られる。またｙ＞ｘの場合には、（Ｘ，Ｙ）＝（（ｘ／ｙ）・ｙ０，ｙ０）により直線Ｍ２と曲線Ｑ２が得られる。
【００４９】
したがって、この実施の形態の判定値では、直線Ｍ１と直線Ｍ２で囲まれる内側の領域がオフ出力に設定され、その外側ではオン出力に設定される。また、曲線Ｑ１と直線Ｍ１とＸ軸で囲まれる領域では右側の操作部２ｘ１がオン出力に設定され、曲線Ｑ２と直線Ｍ２とＹ軸で囲まれる領域では上側の操作部２ｙ１がオン出力に設定され、曲線Ｑ１とＱ２で囲まれる領域では右側と上側の双方がオン出力に設定される。
【００５０】
このように、所定のしきい値の基準値（ｘ０，ｙ０）を設定し、この基準値に所定の係数（ｘ／ｙまたはｙ／ｘ）を乗じることによって良好な感触を得ることができる。なお、図１２では一部の領域についてしか図示していないが、その他の領域についても同様に設定されて、各辺が２・ｘ０と２・ｙ０の四角形状のＯＦＦ領域が設定され、その四角形状の各角部から略Ｖ字状の領域が延びるように設定されている。
【００５１】
また、本実施の形態の入力装置１では、操作体２が操作されていないときにおいて既に各接点の抵抗素子６ａと低抵抗体６ｂとが互いに接触するようにしてもよい。このように非操作時において接触させておくと、入力装置１がアナログ入力モードに設定されたときに不感帯の発生を防止できるため、良好な操作感を得ることができる。
【図面の簡単な説明】
【００５２】
【図１】本発明の入力装置の一例を示す分解斜視図、
【図２】入力装置を操作面側から見たときの平面図、
【図３】図２の３−３線での断面図、
【図４】電極部分を示す拡大断面図、
【図５】入力装置の回路ブロック図、
【図６】デジタル入力モードでの処理を示すフローチャート、
【図７】図６のステップ２での処理を示す説明図、
【図８】図６のステップ２での他の処理を示す説明図、
【図９】図６のステップ３での処理を示す説明図、
【図１０】図６のステップ４での処理を示す説明図、
【図１１】判定値の別の形態を示す説明図、
【図１２】判定値のさらに別の形態を示す説明図、
【符号の説明】
【００５３】
Ｖｘ，Ｖｙ  電圧値
１  入力装置
２  操作体
２ｘ１，２ｘ２，２ｙ１，２ｙ２  操作部
３ｂ  弾性押圧体
４  検出基板
５  補強部材
６  接点
６ａ（６ａ１〜６ａ４）  抵抗素子
６ｂ（６ｂ１〜６ｂ４）  低抵抗体
１０  筐体
１５ｘ  Ｘ出力部
１５ｙ  Ｙ出力部
３０  制御部
３１  Ｘ入力Ａ／Ｄ変換部
３２  Ｙ入力Ａ／Ｄ変換部
【図１】
2005100077.tif 000003
【図２】
2005100077.tif 000004
【図３】
2005100077.tif 000005
【図４】
2005100077.tif 000006
【図５】
2005100077.tif 000007
【図６】
2005100077.tif 000008
【図７】
2005100077.tif 000009
【図８】
2005100077.tif 000010
【図９】
2005100077.tif 000011
【図１０】
2005100077.tif 000012
【図１１】
2005100077.tif 000013
【図１２】
2005100077.tif 000014